(57)【要約】【課題】保管中に飛灰から水素ガスが発生して保管容器が破損することを防止する放射性物質含有飛灰の保管処理装置、方法、容器を提供することを課題とする。【解決手段】放射性物質を含む廃棄物の焼却炉から排出され放射性物質含有飛灰を保管前に前処理する飛灰前処理装置Ｉと、前処理後の飛灰を保管する飛灰保管装置IIを有し、飛灰前処理装置Ｉは、飛灰を貯留する灰貯槽５と、灰貯槽５から飛灰の一部を受け、飛灰中の金属アルミニウムと反応する反応剤を飛灰に添加して水素ガス発生の有無を判定する水素ガス発生判定装置６を有し、飛灰保管装置IIは、水素ガス発生がないと判定された飛灰を保管する密閉型保管容器７と、水素ガスが発生したと判定された飛灰を保管する通気型保管容器８を備え、通気型保管容器８は飛灰を収容するプラスチック層をもつ内側収容部８Ｂと金属製の外側収容部８Ａの二重構造をなし、水素ガスの通気を許容する通気口を有している。【選択図】図１
2019164065.tif 000002
【特許請求の範囲】
【請求項１】
放射性物質を含む可燃性廃棄物の焼却炉から排出され放射性物質を含有する飛灰を該飛灰の保管に先立ち前処理する飛灰前処理装置と、前処理後の飛灰を保管する飛灰保管装置とを有し、
飛灰前処理装置は、飛灰を貯留する灰貯槽と、該灰貯槽から飛灰の一部を受け、飛灰中の金属アルミニウムと反応する反応剤を該飛灰に添加して水素ガス発生の有無を判定する水素ガス発生判定装置を有し、
飛灰保管装置は、水素ガス発生判定装置で水素ガスの発生がないと判定された飛灰を保管する密閉型保管容器と、水素ガス発生判定装置で水素ガスが発生したと判定された飛灰を保管する通気型保管容器とを備え、
通気型保管容器は、飛灰を収容するプラスチック層をもつ内側収容部と該内側収容部を収める金属製の外側収容部との二重構造となっているとともに、水素ガスの通気を許容する通気口を有している、
ことを特徴とする放射性物質含有飛灰の保管処理装置。
【請求項２】
通気型保管容器は、内側収容部が通気口付きのプラスチック容器で、外側収容部が通気口付の金属容器であることとする請求項１に記載の放射性物質含有飛灰の保管処理装置。
【請求項３】
通気型保管容器は、外側収容部としての金属容器の内面に内側収容部としてのプラスチック塗覆装が施されていることとする請求項１に記載の放射性物質含有飛灰の保管処理装置。
【請求項４】
放射性物質を含む可燃性廃棄物の焼却炉から排出され放射性物質を含有する飛灰を該飛灰の保管に先立ち前処理する飛灰前処理工程と、前処理工程後の飛灰を保管する飛灰保管工程とを有し、
飛灰前処理工程は、飛灰を灰貯槽に貯留する灰貯留工程と、該灰貯槽から飛灰の一部を受け、飛灰中の金属アルミニウムと反応する反応剤を該飛灰に添加して水素ガス発生の有無を判定する水素ガス発生判定工程を有し、
飛灰保管工程では、水素ガス発生判定工程で水素ガスの発生がないと判定された場合に該飛灰を密閉型保管容器に保管し、水素ガス発生判定工程で水素ガスが発生したと判定された場合に該飛灰を通気型保管容器に保管し、
通気型保管容器は、飛灰を収容するプラスチック層をもつ内側収容部と該内側収容部を収める金属製の外側収容部との二重構造となっているとともに、水素ガスの通気を許容する通気口を有していて、飛灰保管工程では、水素ガスを通気型保管容器の通気口から容器外に放出することを特徴とする放射性物質含有飛灰の保管処理方法。
【請求項５】
添加剤がアルカリ溶液であることとする請求項４に記載の放射性物質含有飛灰の保管処理方法。
【請求項６】
通気型保管容器は、内側収容部が通気口付きのプラスチック容器で、外側収容部が通気口付の金属容器であり、飛灰保管工程で、水素ガスを内側収容部の通気口、外側収容部の
通気口を順次経て容器外に放出することとする請求項４に記載の放射性物質含有飛灰の保管処理方法。
【請求項７】
通気型保管容器は、外側収容部としての金属容器の内面に内側収容部としてのプラスチック塗覆装が施されていることとする請求項４に記載の放射性物質含有飛灰の保管処理方法。
【請求項８】
放射性物質を含む可燃性廃棄物の焼却炉から排出され放射性物質を含有する飛灰を保管する飛灰保管容器であって、
飛灰保管容器は、飛灰を収容するプラスチック層をもつ内側収容部と該内側収容部を収める金属製の外側収容部との二重構造となっているとともに、水素ガスの通気を許容する通気口を有している通気型保管容器である、
ことを特徴とする放射性物質含有飛灰の保管容器。
【請求項９】
通気型保管容器は、内側収容部が通気口付きのプラスチック容器で、外側収容部が通気口付の金属容器であることとする請求項８に記載の放射性物質含有飛灰の保管容器。
【請求項１０】
通気型保管容器は、外側収容部としての金属容器の内面に内側収容部としてのプラスチック塗覆装が施されていることとする請求項８に記載の放射性物質含有飛灰の保管容器。
【発明の詳細な説明】
【技術分野】
【０００１】
本発明は、放射性物質を含む可燃性廃棄物の焼却炉から排出される放射性物質含有飛灰の保管処理装置、保管処理方法そして保管容器に関する。
【背景技術】
【０００２】
放射性物質を含む可燃性廃棄物を、ストーカ炉、キルン炉あるいは流動床炉などの焼却炉を用いて焼却すると、放射性物質を含む主灰と飛灰が発生する。飛灰は主灰にくらべ放射性物質濃度が高いため、保管容器に入れて保管される。
【０００３】
放射性物質を含有する廃棄物を保管する容器としては、一般にドラム缶が用いられる。ドラム缶では、放射性廃棄物が放射線分解により有害なガスを発生し、ドラム缶内での内圧が上昇して破損が生ずることがある。
【０００４】
そこで、特許文献１では、放射性廃棄物から発生するガスを放出させて破損を防止するドラム缶を保管容器として提案している。
【０００５】
特許文献１のドラム缶は、ドラム缶本体に被せる蓋に開口部を設けるとともに、該蓋の内面に開口部へ向う傾斜部を形成し、かつ開口部にフィルタを取り付けることとしている。このような構造のもとで、ドラム缶内でガスが発生しても該ガスは上記傾斜部で開口部へ向け導かれフィルタを経て外部へ放出される。その際、廃棄物の粉塵などは上記フィルタで捕捉されてガスのみが放出される。
【０００６】
一方、金属アルミニウムを含む廃棄物の焼却灰に含まれている金属アルミニウムと水とが反応して水素ガスを生ずることが非特許文献１にて報告されている。保管容器に保管されている飛灰が反応して水素ガスが生ずると、容器内の内圧を上昇させる原因となる。
【先行技術文献】
【特許文献】
【０００７】
【特許文献１】特開平３−２３１２００
【非特許文献】
【０００８】
【非特許文献１】第２８回廃棄物循環資源学会研究発表会  講演原稿２０１７  Ｃ                      ２‐２                   一般廃棄物焼却灰からの水素ガス発生特性に関する基礎的研究
【発明の概要】
【発明が解決しようとする課題】
【０００９】
したがって、放射性物質を含む可燃性廃棄物の焼却炉から排出され保管容器で保管されている放射性物質含有飛灰に金属アルミニウムが含まれている場合には、金属アルミニウムと水分が反応して水素ガスが発生することがあるので、保管容器が密閉型であると、保管中に水素ガスが発生して保管容器内の内圧上昇により保管容器が膨張して破損し、放射性物質を含む飛灰が周囲に漏出するという問題が生じる虞れがある。
【００１０】
このような問題がある現状において、放射性物質を含む廃棄物を焼却した際に発生する飛灰を収容する容器について、水素ガス発生の可能性を考慮し、水素ガス発生の有無を把握して適切に保管処理する保管処理技術はいまだ確立されていない。
【００１１】
本発明は、かかる事情に鑑み、放射性物質を含む飛灰を保管する際に、水素ガス発生の虞れの有無を短時間で精度よく判定し、水素ガス発生の有無に対応して適切に保管処理することができる保管処理装置、保管に用いる保管容器、保管処理方法を提供することを課題とする。
【課題を解決するための手段】
【００１２】
上述した課題は、本発明によれば、次のように構成される、放射性物質含有飛灰の保管処理装置、保管処理方法、保管容器によって解決される。
【００１３】
＜保管処理装置＞
放射性物質を含む可燃性廃棄物の焼却炉から排出され放射性物質を含有する飛灰を該飛灰の保管に先立ち前処理する飛灰前処理装置と、前処理後の飛灰を保管する飛灰保管装置とを有し、
飛灰前処理装置は、飛灰を貯留する灰貯槽と、該灰貯槽から飛灰の一部を受け、飛灰中の金属アルミニウムと反応する反応剤を該飛灰に添加して水素ガス発生の有無を判定する水素ガス発生判定装置を有し、
飛灰保管装置は、水素ガス発生判定装置で水素ガスの発生がないと判定された飛灰を保管する密閉型保管容器と、水素ガス発生判定装置で水素ガスが発生したと判定された飛灰を保管する通気型保管容器とを備え、
通気型保管容器は、飛灰を収容するプラスチック層をもつ内側収容部と該内側収容部を収める金属製の外側収容部との二重構造となっているとともに、水素ガスの通気を許容する通気口を有している、
ことを特徴とする放射性物質含有飛灰の保管処理装置。
【００１４】
かかる構成の本発明において、通気型保管容器は、内側収容部が通気口付きのプラスチック容器で、外側収容部が通気口付の金属容器であるようにすることができる。
【００１５】
また、本発明において、通気型保管容器は、外側収容部としての金属容器の内面に内側収容部としてのプラスチック塗覆装が施されているようにすることもできる。
【００１６】
＜保管処理方法＞
放射性物質を含む可燃性廃棄物の焼却炉から排出され放射性物質を含有する飛灰を該飛灰の保管に先立ち前処理する飛灰前処理工程と、前処理工程後の飛灰を保管する飛灰保管工程とを有し、
飛灰前処理工程は、飛灰を灰貯槽に貯留する灰貯留工程と、該灰貯槽から飛灰の一部を受け、飛灰中の金属アルミニウムと反応する反応剤を該飛灰に添加して水素ガス発生の有無を判定する水素ガス発生判定工程を有し、
飛灰保管工程では、水素ガス発生判定工程で水素ガスの発生がないと判定された場合に該飛灰を密閉型保管容器に保管し、水素ガス発生判定工程で水素ガスが発生したと判定された場合に該飛灰を通気型保管容器に保管し、
通気型保管容器は、飛灰を収容するプラスチック層をもつ内側収容部と該内側収容部を収める金属製の外側収容部との二重構造となっているとともに、水素ガスの通気を許容する通気口を有していて、飛灰保管工程では、水素ガスを通気型保管容器の通気口から容器外に放出することを特徴とする放射性物質含有飛灰の保管処理方法。
【００１７】
本発明において、添加剤をアルカリ溶液とすることができる。
【００１８】
本発明において、通気型保管容器は、内側収容部が通気口付きのプラスチック容器で、外側収容部が通気口付の金属容器であり、飛灰保管工程で、水素ガスを内側収容部の通気口、外側収容部の通気口を順次経て容器外に放出することができる。
【００１９】
本発明において、通気型保管容器は、外側収容部としての金属容器の内面に内側収容部としてのプラスチック塗覆装が施されているようにすることができる。
【００２０】
＜保管容器＞
放射性物質を含む可燃性廃棄物の焼却炉から排出され放射性物質を含有する飛灰を保管する飛灰保管容器であって、
飛灰保管容器は、飛灰を収容するプラスチック層をもつ内側収容部と該内側収容部を収める金属製の外側収容部との二重構造となっているとともに、水素ガスの通気を許容する通気口を有している通気型保管容器である、
ことを特徴とする放射性物質含有飛灰の保管容器。
【００２１】
本発明において、通気型保管容器は、内側収容部が通気口付きのプラスチック容器で、外側収容部が通気口付の金属容器であるようにすることができる。
【００２２】
本発明において、通気型保管容器は、外側収容部としての金属容器の内面に内側収容部としてのプラスチック塗覆装が施されているようにすることもできる。
【００２３】
＜作動原理＞
本発明の保管処理装置、保管処理方法においては、灰貯槽の飛灰は、その一部が採取されて水素ガス発生判定装置へもたらされ、該水素ガス発生判定装置で、反応剤が添加されて、水素ガスが発生しているかどうかが判定される。水素ガスの発生がないと判定されたときには、灰貯槽の飛灰は、通常の密閉型保管容器に保管され、水素ガスが発生していると判定されたときには、通気型保管容器に保管される。反応剤としては、例えば、水酸化カルシウム水溶液、水酸化ナトリウム水溶液等のアルカリ溶液又は酸溶液を用いる。
【００２４】
かかる通気型保管容器により保管された飛灰は、本発明の保管処理装置、保管処理方法、保管容器において、プラスチック層をもつ内側収容部内に収容されているので飛灰や水分の漏出が防止され、さらに上記内側収容部が金属製の外側収容部により保護されるとともに、飛灰中の金属アルミニウムが該飛灰中の水分と反応して水素ガスが発生すると、該水素ガスは通気型保管容器の通気口から外部へ放出されるので、保管容器内の内圧が上昇することなく、保管容器の破損の危険性がない。
【発明の効果】
【００２５】
以上のように、本発明の保管処理装置、保管処理方法では、貯灰槽内の飛灰について、その一部を採取して反応剤を用いて水素ガス発生の有無を判定し、水素ガス発生がない飛灰を通常の密閉型保管容器に保管することとし、水素ガス発生がある飛灰のみを本発明の通気口をもつ通気型保管容器に保管すればよく、保管容器の破損の危険性を回避して保管における安全性を確保できるとともに、通常の密閉型保管容器に対し、高コストとなる通気型保管容器の使用数を抑制できる。
【００２６】
本発明の保管処理装置、保管方法、保管容器において、保管容器はプラスチック層をもつ内側収容部と金属製の外側収容部とを有しているので、内側収容部で飛灰やや水分の漏出を防止し、外側収容部で内側収容部の破損に対する保護を図れる結果、保管における安全性を確実に得ることができる。
【図面の簡単な説明】
【００２７】
【図１】本発明の一実施形態としての放射性物質含有飛灰の保管処理装置の概要構成図である。
【図２】図１保管処理装置に用いられる保管容器を示し、（Ａ）は密閉型保管容器、（Ｂ）は通気型保管容器である。
【発明を実施するための形態】
【００２８】
以下、添付図面にもとづき、本発明の一実施形態を説明する。
【００２９】
本発明の一実施形態装置として図１に示される放射性物質含有飛灰の保管処理装置は、飛灰前処理装置Ｉと飛灰保管装置IIとを有しており、飛灰前処理装置Ｉは、放射性物質含有の廃棄物を焼却炉１で焼却して排出された排ガスから集塵した飛灰を受け、これを前処理して飛灰保管装置IIへ受け渡すように構成されている。
【００３０】
上記焼却炉１には、排ガスを除塵する集塵機２、例えばバグフィルタが接続されており、排ガスが集塵機２へ送られて排ガス中の飛灰が集塵機２で集塵され、除塵後の排ガスが次工程での排ガス無害化処理に向け排出され、一方、集塵された飛灰がフィーダ３により混練機４へ送られるようになっている。
【００３１】
混練機４には、飛灰の飛散を防止して混練しやすくするために水が添加されるとともに、飛灰中の重金属の溶出防止のためにキレート剤が添加される。混練機４で混練された飛灰は、飛灰前処理装置Ｉへ送られる。
【００３２】
飛灰前処理装置Ｉは、飛灰中に含有されている金属アルミニウムと水との反応で水素ガスが発生し、飛灰の保管中に保管容器内の内圧が上昇して保管容器の破損が生ずる危険性がないかどうかを保管前に判定する装置であり、上記混練機４から飛灰を受けこれを貯留する灰貯槽５と水素ガス発生判定装置６とを有している。
【００３３】
水素ガス発生判定装置６は、反応装置６Ａと水素ガス濃度測定装置６Ｂとを有している。反応装置６Ａは容器内に攪拌部材を有しており、上記灰貯槽５に接続されていて灰貯槽５内の飛灰の一部を試料飛灰として採取するようになっていて、上記容器内でこの試料飛灰に反応剤を添加し攪拌するようになっている。反応剤としては、例えば、水酸化カルシウム水溶液、水酸化ナトリウム水溶液等のアルカリ溶液を用いるようになっている。また、該反応剤は、酸溶液であってもよい。
【００３４】
水素ガス濃度測定装置６Ｂは、反応装置６Ａでの飛灰と反応剤との反応により発生した発生ガスを該反応装置６Ａから受け、例えば、ガスクロマトグラフタ又は検知管により該発生ガス中の水素ガス濃度を測定するようになっている。
【００３５】
飛灰中に金属アルミニウムが含有されていると、該金属アルミニウムは両性金属であるため、アルカリ溶液もしくは酸溶液と反応して水素ガスが発生する。本発明では、水素ガス濃度測定装置６Ｂによる水素濃度の測定の結果をもって水素ガス発生の有無を測定する。水素濃度測定値が０を超えていれば、水素濃度が低くとも、水素ガス発生が有りと判定する。
【００３６】
飛灰保管装置IIは、複数の保管容器を備えることで構成されていて、密閉型保管容器７と通気型保管容器８の二種の容器を有している。密閉型保管容器７は一つ以上の密閉型保管容器７−１，７−２，・・・から成り、通気型保管容器８は、一つ以上の通気型保管容器８−１，８−２，８−３，・・・から成っている。
【００３７】
本実施形態では、図１に見られるように、密閉型保管容器７−１，７−２，・・・はいずれも同一形態であるが、配列待機位置順に符号７−１，７−２と区別して付してあり、同様に、通気型保管容器８−１，８−２，８−３，・・・もいずれもが同一形態であるが配列位置待機位置順に８−１，８−２，８−３，・・・と区別して付してある。
【００３８】
図１においては、密閉型保管容器７−１，７−２，・・・そして通気型保管容器８−１，８−２，８−３，・・・のうちの一つ（図１では通気型保管容器８−１）が上記灰貯槽５の直下に配置され、該灰貯槽５から落下する飛灰の供給を受けるようになっており、他（密閉型保管容器７−１，７−２，・・・そして通気型保管容器８−２，８−３，・・・）は図示の上記灰貯槽５の直下位置から外れた待機位置にある。
【００３９】
上記密閉型保管容器７は、図２（Ａ）に見られるように、ドラム缶等の強度を有する金属容器の外側収容部７Ａ内に、ポリエチレン等のプラスチック製袋であって飛灰からの液の漏洩を防止できる内側収容部７Ｂが収められている。該内側収容部７Ｂは袋状でなくとも、ケースあるいはボトル状であってもよく、また、上記外側収容部７Ａと一体になっていてもよく、例えば、外側収容部７Ａとしての金属容器の内面に施されたプラスチック塗覆装として形成することもできる。
【００４０】
一方、通気型保管容器８は、本実施形態の場合、上記密閉型保管容器７の外側収容部７Ａと内側収容部７Ｂと同様の材料そして形態の収容部分をなす外側収容部８Ａと内側収容部８Ｂを有しているが、この通気型保管容器８では、外側収容部８Ａと内側収容部８Ｂともに、通気口８Ａ−１と通気口８Ｂ−１をそれぞれ有している。外側収容部８Ａはさらに、上記通気口８Ａ−１にフィルタ８Ａ−２をも有している。
【００４１】
上記通気口８Ｂ−１，８Ａ−１は、内側収容部８Ｂ内に収められた飛灰が水分と反応して水素ガスを発生した場合に、この水素ガスを内側収容部８Ｂそして外側収容部８Ａからそれぞれ放出するのに足りる小サイズの孔部が形成され、あるいは多孔材で形成されている。外側収容部８Ａの通気口８Ａ−１に取り付けられているフィルタ８Ａ−２は、水素ガスを透過させ、飛灰を透過させないようになっている。フィルタ８Ａ−２としてはＨＥＰＡフィルタを用いることが好ましい。
【００４２】
次に、このような構成の本実施形態装置による、飛灰の保管の要領について説明する。
【００４３】
放射性物質を含有する廃棄物は、焼却炉１で焼却される。焼却灰は該焼却炉１の下部から排出され、排ガスは該焼却炉１の上部から排出されて集塵機２へ送られる。該排ガスには飛灰が含まれていて、集塵機２では飛灰が捕集されて、ガス分だけが次の工程へ送られ排ガス無害化処理される。本実施形態では、飛灰は放射性物質の他に重金属類を含有している場合を想定しており、フィーダ３を経て、混練機４へ送られる。
【００４４】
混練機４には、水とキレート剤とが供給されており、飛灰と混練され飛灰中の重金属類がキレート剤により溶出しない状態とされる。
【００４５】
混練された飛灰は、飛灰前処理装置Ｉの灰貯槽５へ送られ、保管容器７，８に保管されるまでの間、該灰貯槽５に貯留される。該灰貯槽５内の飛灰は、その一部が試料飛灰として採取されて、水素ガス発生判定装置６の反応装置６Ａに送られる。該反応装置６Ａには、飛灰１に対して反応剤が添加される。飛灰中に金属アルミニウムが含有されていると該飛灰中の水分と反応して水素ガスが発生する。しかし、この反応は徐々に進行するので、飛灰を容器内に充填する際にはこの水素ガスの発生の有無を把握できず長期保管したときに水素ガスが発生し保管容器内の内圧が次第に上昇して保管容器の破損を起こしてしまうことがある。そこで、本発明では、水素ガス発生の有無を早期に見い出すために、上記反応剤を試料飛灰に添加して水素ガス発生を促進させて、飛灰の容器への充填前に、水素ガスの発生の有無を判定することとしたのである。反応剤としては、アルカリ溶液（例えば、水酸化カルシウム水溶液、水酸化ナトリウム水溶液）、または酸溶液を用いるが、アルカリ水溶液が好ましい。その理由は、次の通りである。
【００４６】
焼却炉からの排ガスは酸性ガスを含んでいるのでこれを中和処理するために、消石灰（水酸化カルシウム）等のアルカリ薬剤を、煙道内を流送される排ガスに添加しており、集塵機で集塵された飛灰にはアルカリ薬剤が含まれている。したがって、飛灰に水を添加すると、飛灰のｐＨは１０程度以上とアルカリ性を示す。このような飛灰へ、さらに、水酸化カルシウム水溶液又は水酸化ナトリウム水溶液等のアルカリ溶液を比較的少ない量で添加するだけで、水素ガス発生反応を促進して生じさせ、水素ガスの発生の有無を確認できる。一方、酸溶液で金属アルミニウムを酸化し反応させ水素発生の有無を判定しようとすると多量の酸溶液を必要とする。これに対し、上述したように、アルカリ溶液を添加する場合には比較的少ない添加量で、水素ガスの発生の有無を確認することができることが、本実施形態で、酸溶液でなく、アルカリ溶液を反応剤として用いている理由である。
【００４７】
反応装置６Ａで飛灰中の金属アルミニウムと反応剤との反応で生じた発生ガスは、水素ガス濃度測定装置６Ｂに送られ、ここで発生ガス中の水素濃度が測定され発生ガス中に水素ガスが含まれているか確認される。発生ガス中の水素濃度測定はガスクロマトグラフ又は検知管により行う。
【００４８】
飛灰から水素が発生するかどうか判定する方法としては、上記の他に飛灰に含まれる金属アルミニウムの定量を行うことが考えられる。定量方法としては、臭素-ハロゲン溶解法、粉末Ｘ線回折法、電子顕微鏡法があるが、臭素-ハロゲン溶解法は測定に時間がかかり短時間で定量することができず、粉末Ｘ線回折法は検出下限値が数％程度なのでその測定精度が低い。また、電子顕微鏡法は局所的なサンプルしか観察ができないため定量性が乏しい等、問題がある。そこで、本実施形態では、反応装置から抜き出された発生ガスをガスクロマトグラフ又は検知管を水素ガス濃度測定装置６Ｂとして用いて発生ガスの水素濃度を測定することとした。
【００４９】
本実施形態では、水素ガス濃度測定装置６Ｂで、上記発生ガスから水素ガスが検出されたときには、その濃度の高低にかかわらず、保管容器に飛灰を長期保管したときには水素が発生し容器内圧が上昇し保管容器が破損する可能性があると判定することとした。
【００５０】
次に、上記水素ガス発生判定装置６で、水素ガスの発生が検出されたときには、その濃度の高低にかかわらず、上記灰貯槽５から飛灰が飛灰保管装置IIに配置された通気型保管容器８に収容されて保管され、また水素ガスの発生が全く検出されなかったときは、密閉型保管容器７に保管される。上記飛灰保管装置IIでは、複数の密閉型保管容器７（７−１，７−２，・・・）と複数の通気型保管容器８（８−１，８−２，８−３，・・・）がそれぞれ配置されており、上記水素ガス発生判定装置６による判定結果により密閉型保管容器７そして通気型保管容器８のいずれかが選択されて、上記灰貯槽５の直下位置にもたらされ、該灰貯槽５から飛灰を受けるようになる。
【００５１】
試料飛灰から水素ガスの発生が全くないと判定されたときには、飛灰は灰貯槽５から密閉型保管容器７に収容され保管され、長期にわたり保管されても保管容器が破損する虞れがないので何ら問題はない。
【００５２】
試料飛灰から水素ガスの発生が検出されたときには、水素ガスの濃度にかかわらず、飛灰は灰貯槽５から通気型保管容器８へ収容されて保管される。長期保管の結果、飛灰から水素ガスが発生したときには、水素ガスは、上記通気型保管容器８の内側収容部８Ｂの通気口８Ｂ−１そして外側収容部８Ａの通気口８Ａ−１を通って外部へ放出される。
【００５３】
このように、保管中に水素ガスの発生が予想される飛灰に対しては、通気型保管容器８に保管することとするので、発生した場合の水素ガスは通気口８Ａ−１，８Ｂ−１より容器外へ排出され容器内に残留することがないため容器内圧が上昇し容器が膨張したり破損することがなく、飛灰が容器外へ飛散せず、安全に放射性物質を含有する飛灰を保管することができる。外側収容部８Ａの通気口８Ａ−１から水素ガスが放出される際に、水素ガスに随伴される微粉状の飛灰はフィルタ８Ａ−２で濾過するので、飛灰は外部への漏出が確実に防止される。
【符号の説明】
【００５４】
５  灰貯槽
６  水素ガス発生判定装置
７  密閉型保管容器
８  通気型保管容器
８Ａ  外側収容部
８Ｂ  内側収容部
Ｉ  飛灰前処理装置
II  飛灰保管装置
【図１】
2019164065.tif 000003
【図２】
2019164065.tif 000004